(57)【要約】【課題】空気清浄機に備えた吸着手段の脱離処理を行うとき、脱離したガスが周囲に漏洩するようなことなく、また吸着手段の脱離処理及び空気清浄機の運転を効率よく行うことのできる空気清浄機及びその運転方法を提供する。【解決手段】筐体５に備えた吸込口１５から吸入した空気中のＶＯＣを吸着除去するための吸着手段２３を前記筐体５内に備えた空気清浄機であって、前記吸着手段２３を、前記吸込口１５から空気を吸入して前記筐体５外へ排出する捕集流路と、前記吸着手段２３に吸着したＶＯＣを脱離するための脱離流路とへ移動可能に備え、前記脱離流路には、前記吸着手段２３を収容し加熱するための加熱室２５を備えており、前記加熱室２５には、前記吸着手段２３から脱離したＶＯＣを分解するためのガス分解除去装置３７又は加熱室２５内のＶＯＣを吸引し屋外に排出するための吸引排出手段７５が接続してある。【選択図】図１
2006181262.tif 000002
【特許請求の範囲】
【請求項１】
筐体に備えた吸込口から吸入した空気中のＶＯＣを吸着除去するための吸着手段を前記筐体内に備えた空気清浄機であって、前記吸着手段を、前記吸込口から空気を吸入して前記筐体外へ排出する捕集流路と、前記吸着手段に吸着したＶＯＣを脱離するための脱離流路とへ移動可能に備えていることを特徴とする空気清浄機。
【請求項２】
請求項１に記載の空気清浄機において、前記脱離流路には、前記吸着手段を収容し加熱するための加熱室を備えていることを特徴とする空気清浄機。
【請求項３】
筐体に備えた吸込口から吸入した空気中のＶＯＣを吸着除去するための吸着手段を前記筐体内に備えた空気清浄機であって、前記吸込口から空気を吸入して前記筐体外へ排出する捕集流路と、前記吸着手段に吸着したＶＯＣを脱離するための脱離流路側に備えた加熱室とへ移動可能なスライダに前記吸着手段を備え、前記スライダに、前記加熱室の開口部を閉鎖するための断熱蓋を備えていることを特徴とする空気清浄機。
【請求項４】
請求項２又は３に記載の空気清浄機において、前記加熱室には、前記吸着手段から脱離したＶＯＣを分解するためのガス分解除去装置又は加熱室内のＶＯＣを吸引し屋外に排出するための吸引排出手段が接続してあることを特徴とする空気清浄機。
【請求項５】
請求項１，２，３又は４に記載の空気清浄機において、前記捕集流路の空気流量よりも前記脱離流路の空気流量を小量にしてあることを特徴とする空気清浄機。
【請求項６】
請求項２，３，４又は５に記載の空気清浄機において、前記加熱室に備えたヒータの加熱速度を制御するための制御手段を備えていることを特徴とする空気清浄機。
【請求項７】
請求項１〜６のいずれかに記載の空気清浄機において、前記捕集流路において前記吸着手段の上流側に、粒子捕集部を備えていることを特徴とする空気清浄機。
【請求項８】
請求項１〜７のいずれかに記載の空気清浄機において、前記捕集流路において前記吸着手段の下流側に化学吸着活性炭を備えていることを特徴とする空気清浄機。
【請求項９】
筐体に備えた吸込口から吸入した空気中のＶＯＣを吸着除去するための吸着手段を前記筐体内に備え、この吸着手段を、前記吸込口から空気を吸入して前記筐体外へ排出する捕集流路と、前記吸着手段に吸着したＶＯＣを脱離するための脱離流路とへ移動可能に備え、前記脱離流路側に前記吸着手段を収容して加熱する加熱室を備えた空気清浄機であって、当該空気清浄機に人が近接したことを検知する人体検知センサと、この人体検知センサが人体を検知したときに吸引手段のモータを制御するモータ制御手段と、前記吸着手段を前記捕集流路と前記加熱室との間を往復動するための往復動作手段と、前記加熱室に備えたヒータの加熱速度又は加熱パターンを制御するためのヒータ加熱制御手段とを備えていることを特徴とする空気清浄機。
【請求項１０】
請求項９に記載の空気清浄装置において、前記吸着手段を前記加熱室へ移動して吸着したＶＯＣを脱離するための脱離指示手段を備えていることを特徴とする空気清浄機。
【請求項１１】
筐体に備えた吸込口から吸入した空気中のＶＯＣを吸着除去するための吸着手段を前記筐体内に備え、この吸着手段を、前記吸込口から空気を吸入して前記筐体外へ排出する捕集流路と、前記吸着手段に吸着したＶＯＣを脱離するための脱離流路とへ移動可能に備え、前記脱離流路側に前記吸着手段を収容して加熱する加熱室を備えた空気清浄機の運転方法であって、当該空気清浄機に人が近接したことを検知したときに吸引動作を行い、脱離操作があったとき又は設定時刻になったとき或は当該空気清浄機の使用時間が設定時間になったとき又は当該空気清浄機の周囲が所定暗さになったとき、前記吸着手段を前記加熱室内に収容して加熱を行い、前記吸着手段からＶＯＣの脱離を行った後、前記捕集流路側の初期位置へ前記吸着手段を戻して、再びＶＯＣの吸着除去を行うことを特徴とする空気清浄機の運転方法。
【請求項１２】
請求項１１に記載の空気清浄機の運転方法において、前記加熱室内の加熱は、予め設定された加熱速度又は加熱パターンで行うことを特徴とする空気清浄機の運転方法。
【発明の詳細な説明】
【技術分野】
【０００１】
本発明は、例えば建材、家具、塗料、タバコ煙又は接着剤などにより発生する空気中に含まれるＶＯＣ（例えば、ベンゼン、トルエン、キシレン、スチレン、ホルムアルデヒドなどの揮発性有機化合物）を吸着除去するためのハニカム活性炭などの吸着手段を備えた空気清浄機に係り、さらに詳細には、前記吸着手段に吸着したＶＯＣを脱離する脱離処理（再生処理）を行って、前記吸着手段を再使用することのできる空気清浄機に関する。
【背景技術】
【０００２】
従来、空気清浄機において、例えば空気中に含まれるＶＯＣを吸着除去するための活性炭フィルタなどの吸着手段を備え、この吸着手段を加熱することにより、吸着手段に吸着したＶＯＣを脱離して前記吸着手段を再使用することが行われている（例えば特許文献１，２参照）。
【特許文献１】特開２０００−１５０３８号公報
【特許文献２】特開２００４−３２９４９９号公報
【発明の開示】
【発明が解決しようとする課題】
【０００３】
前記特許文献１に記載されている発明のごとく、吸着手段の上流側に分解手段を備え、前記吸着手段の下流側に加熱手段を備えた構成においては、前記吸着手段に吸着したＶＯＣを脱離するとき、前記加熱手段によって前記吸着手段を加熱し、脱離した汚染ガスを上方向へ移動して前記分解手段によって熱分解する構成である。
【０００４】
上記構成においては、前記吸着手段に汚染ガスを吸着する際の空気流路と前記吸着手段から汚染ガスを離脱する際の汚染ガスの流路は共通であり、その流れ方向が逆方向であるから、前記吸着手段から脱離された汚染ガスの一部が熱分解されることなく、空気の吸込口から戻されることがある。
【０００５】
前記特許文献２に記載の発明においては、例えばタバコの煙等を含む汚染された空気を流す第１の流路と比較的清浄な空気を流す第２の流路との交差部に、例えば活性炭フィルタ等の被処理ガス吸着濃縮部を備えた構成である。そして、前記第１の流路に空気を一方向に通過することにより被処理ガスを前記被処理ガス吸着濃縮部に吸着して除去し、この被処理ガス吸着濃縮部から被処理ガスを脱離するときには、前記第２の流路に空気を流すと共に前記被処理ガス吸着濃縮部を加熱装置によって加熱する構成である。
【０００６】
すなわち、特許文献２に記載の発明においては、第１の通路と第２の通路との交差部に被処理ガス吸着濃縮部を配置した構成であるから、第１の流路を通過する空気を前記被処理ガス吸着濃縮部に導いて処理ガスの吸着を効率よく行うには第２の流路の影響を受けないようにする必要があり、また前記被処理ガス吸着濃縮部を加熱して被処理ガスの脱離処理を行う場合には、脱離した被処理ガスが第１の流路内に入り込まないようにする必要があり、流路の構成が複雑になり易いという問題がある。
【課題を解決するための手段】
【０００７】
本発明は、前述のごとき問題に鑑みてなされたもので、筐体に備えた吸込口から吸入した空気中のＶＯＣを吸着除去するための吸着手段を前記筐体内に備えた空気清浄機であって、前記吸着手段を、前記吸込口から空気を吸入して前記筐体外へ排出する捕集流路と、前記吸着手段に吸着したＶＯＣを脱離するための脱離流路とへ移動可能に備えていることを特徴とするものである。
【０００８】
また、筐体に備えた吸込口から吸入した空気中のＶＯＣを吸着除去するための吸着手段を前記筐体内に備えた空気清浄機であって、前記吸込口から空気を吸入して前記筐体外へ排出する捕集流路と、前記吸着手段に吸着したＶＯＣを脱離するための脱離流路側に備えた加熱室とへ移動可能なスライダに前記吸着手段を備え、前記スライダに前記加熱室の開口部を閉鎖するための断熱蓋を備えていることを特徴とするものである。
【０００９】
また、筐体に備えた吸込口から吸入した空気中のＶＯＣを吸着除去するための吸着手段を前記筐体内に備え、この吸着手段を、前記吸込口から空気を吸入して前記筐体外へ排出する捕集流路と、前記吸着手段に吸着したＶＯＣを脱離するための脱離流路とへ移動可能に備え、前記脱離流路側に前記吸着手段を収容して加熱する加熱室を備えた空気清浄機の運転方法であって、当該空気清浄機に人が近接したことを検知したときに吸引動作を行い、脱離操作があったとき又は設定時刻になったとき或は当該空気清浄機の使用時間が設定時間になったとき又は当該空気清浄機の周囲が所定暗さになったとき、前記吸着手段を前記加熱室内に収容して加熱を行い、前記吸着手段からＶＯＣの脱離を行った後、前記捕集流路側の初期位置へ前記吸着手段を戻して、再びＶＯＣの吸着除去を行うことを特徴とするものである。
【００１０】
また、筐体に備えた吸込口から吸入した空気中のＶＯＣを吸着除去するための吸着手段を前記筐体内に備え、この吸着手段を、前記吸込口から空気を吸入して前記筐体外へ排出する捕集流路と、前記吸着手段に吸着したＶＯＣを脱離するための脱離流路とへ移動可能に備え、前記脱離流路側に前記吸着手段を収容して加熱する加熱室を備えた空気清浄機であって、当該空気清浄機に人が近接したことを検知する人体検知センサと、この人体検知センサが人体を検知したときに吸引手段のモータを制御するモータ制御手段と、前記吸着手段を前記捕集流路と前記加熱室との間を往復動するための往復動作手段と、前記加熱室に備えたヒータの加熱速度又は加熱パターンを制御するためのヒータ加熱制御手段とを備えていることを特徴とするものである。
【発明の効果】
【００１１】
本発明によれば、吸着手段に吸着したＶＯＣを脱離するとき、脱離したＶＯＣが捕集流路側へ流出するようなことがなく、前記吸着手段の再生を容易に行うことができる。
【発明を実施するための最良の形態】
【００１２】
以下、図面を用いて本発明の実施形態に係る空気清浄機について詳細に説明する。概念的，概略的に示した図１を参照するに、本実施形態に係る空気清浄機１は、複数のキャスタ３を備えた移動可能な筐体５を備えており、この筐体５の内部は画壁７によって空気流路室９と機器格納室１１とに区画してある。前記筐体５の上部に備えた天井板１３において前記空気流路室９に対応した位置には空気を吸入する吸込口１５が設けてあると共に、当該空気清浄機１に人が近接したことを検知する人体検知センサ１７が設けられている。
【００１３】
そして、前記空気流路室９内の下部には、前記吸込口１５から周囲のタバコ煙を含めて大量の空気を吸引するための吸引手段１９が備えられている。この吸引手段１９は、例えばブロワ等よりなるものであって、前記吸込口１５と吸引手段１９との間は、前記吸込口１５から空気を筐体５内へ吸入して筐体５の外部へ排出する捕集流路に形成してある。そして、この捕集流路の上流側で前記吸込口１５に近接した位置には、前記吸込口１５から吸入した例えば空気中の粒子成分を除去する粒子捕集部２１が備えられている。この粒子捕集部２１は、空気中の微粒子を帯電させて静電気により捕集する電気集塵器よりなるものである。なお、この種の電気集塵器は公知であるから、電気集塵器についての詳細な説明は省略する。なお、粒子捕集部はＨＥＰＡフィルター（Ｈｉｇｈ  Ｅｆｆｉｃｉｅｎｃｙ  Ｐａｒｔｉｃｕｌａｔｅ  Ａｉｒ  Ｆｉｌｔｅｒ）やＵＬＰＡフィルター（Ｕｌｔｒａ  Ｌｏｗ  Ｐｅｎｅｔｒａｔｉｏｎ  Ａｉｒ  Ｆｉｌｔｅｒ）などの濾過式や衝突粘着式などを使用することも可能である。
【００１４】
前記捕集流路内において前記粒子捕集部２１の下流側には、空気中のガス成分、例えばタバコの喫煙時に空気中に放出される、ベンゼン、トルエン、キシレン、ニコチンなどの揮発性有機化合物（ＶＯＣ）を吸着除去するための吸着手段２３が備えられている。この吸着手段２３は、例えばハニカム型活性炭又はゼオライト，二酸化チタン等を備えたフィルタよりなるものである。この吸着手段２３の配置位置に対応して前記機器格納室１１内には、前記吸着手段２３を収容して加熱するための加熱室２５が備えられている。
【００１５】
この加熱室２５は、前記吸着手段２３に吸着したＶＯＣを脱離して外部へ排出するための脱離流路の一部を構成するものであって、前記空気流路室９側に開口部２７を備えており、この開口部２７以外の上下，前後、左右の一側面の５面は断熱部材によって囲繞されている。そして、前記加熱室２５内の上下両面には面発熱体としてのヒータ２９が備えられている。なお、ヒータ２９は、前記加熱室２５の全内面に設けることも可能である。
【００１６】
前記ヒータ２９の加熱時に、前記加熱室２５内に上昇気流が生じ易いように、前記加熱室２５の下部側（底部）の適数箇所には空気流入孔３１が形成してあり、対向する上部側には排気孔３３が形成してある。そして、上記排気孔３３にはパイプ等のごとき接続路３５を介してガス分解除去装置３７が接続してある。このガス分解除去装置３７は、前記捕集流路を流れる空気量に比較して極めて小量の空気を流して、前記吸着手段２３から脱離されたＶＯＣを分解除去する作用をなすものであって、例えば光触媒等の適宜の触媒を備えた構成である。なお、この種のガス分解除去装置３７は公知であるから、ガス分解除去装置３７の詳細な説明は省略する。なお、熱膨張による流入孔３１からのＶＯＣを含む空気の逆流を防ぐために、排気孔３３側でポンプなどにより吸引を行なう方がよい。また、流入孔３１に逆止弁などを設けてもよい。
【００１７】
前記粒子捕集部２１の下流側に位置する前記吸着手段２３を前記加熱室２５内へ移動し収容するために、前記捕集流路と加熱室２５との間を往復動可能なスライダ３９を備えている。そして、このスライダ３９上に前記吸着手段２３が着脱可能に載置してある。前記スライダ３９は枠体構成であって、このスライダ３９の一端側には、前記加熱室２５内へ前記吸着手段２３を収容（格納）したときに、加熱室２５の開口部２７を密閉閉鎖するための断熱蓋４１が備えられている。
【００１８】
前記スライダ３９は、前記空気流路室９及び前記加熱室２５に亘って設けたガイド部材（図示省略）に移動自在に支持されれているものであって、このスライダ３９を移動するために、前記断熱蓋４１又はスライダ３９に備えたナット部材（図示省略）には、前記筐体５内に回転自在に支持されたボールスクリュー４３が螺合してある。そして、このボールスクリュー４３の一端部は、筐体５内に備えられたサーボモータのごときモータ４５に連結してある。
【００１９】
したがって、前記モータ４５によってボールスクリュー４３を正回転することによりスライダ３９，吸着手段２３を前記加熱室２５内へ移動し格納することができ(図２参照）、逆に前記ボールスクリュー４３を逆回転することにより、スライダ３９，吸着手段２３を加熱室２５内から外側へ移動することができる。前述のごとくスライダ３９，吸着手段２３を加熱室２５内へ収容したときには、加熱室２５の開口部２７は断熱蓋４１によって密閉されるものである。
【００２０】
なお、前記スライダ３９を往復移動するための往復移動機構の構成としては、前述したごときボールネジ機構に限ることなく、例えばロッドレスシリンダ、エアーシリンダ等のごとき流体圧シリンダを採用することも可能である。
【００２１】
前記捕集流路内で前記吸着手段２３の下流側には、例えばアルデヒド類吸着に特化した化学添着活性炭繊維フィルタよりなる化学吸着活性炭４７が配置してある。この化学吸着活性炭４７は、前記吸着手段２３の補助フィルタをなすものであり、場合によっては省略することも可能である。
【００２２】
前述のごとき構成の空気清浄機１の運転を制御するために、空気清浄機１には制御装置４９（図３参照）が備えられている。この制御装置４９には、例えば操作スイッチ等のごとき入力手段５１が接続してあると共に前記人体検知センサ１７が接続してある。そして、前記制御装置４９には、前記吸引手段１９に備えたモータや前記ガス分解除去装置３７に備えたモータを制御するためのモータ制御手段５３が備えられていると共に、前記粒子捕集部２１へ印加する電圧を制御するための印加電圧制御手段５５が備えられている。
【００２３】
さらに、前記制御装置４９には、前記加熱室２５内のヒータ２９の加熱速度又は加熱パターンを制御するためのヒータ加熱制御手段５７が備えられていると共に、このヒータ加熱制御手段５７によって加熱パターンを制御する場合の加熱パターンを予め格納したパターンメモリ５９Ａ又は加熱速度を制御する場合に、熱電対などのごとき熱センサ６１によってフィードバックされる加熱室２５の検出温度に基いて、ヒータ２９加熱速度を演算する演算手段５９Ｂを格納したメモリ５９を備えている。
【００２４】
前記パターンメモリ５９Ａに予め格納された加熱パターンは、例えば図４に示すように、前記吸着手段２３を約２６０℃位まで加熱する昇温モードパターンＰ１と約２６０℃位に保持する保温モードパターンＰ２と所定時間内に冷却する冷却モードパターンＰ３の各領域の制御パターンが格納されている。この昇温モードパターンＰ１は、前記ガス分解除去装置３７に備えたモータによって加熱室２５内の空気を吸引して脱離処理するとき、ヒータ２９によって加熱室２５内を加熱する際、加熱室２５内の空気の熱膨張によって前記ガス分解除去装置へ流入する空気流量が過剰にならないように加熱パターンを適正に制御するパターンであり、前記保温モードパターンＰ２は、吸着手段２３の脱離処理が効果的に行われ得るように、前記吸着手段２３を高温のほぼ一定温度に保持するパターンである。そして、冷却モードパターンＰ３は、吸着手段２３を冷却する場合、冷却速度を制御するパターンである。
【００２５】
なお、前述のごとくパターン制御した場合の、ガス分解除去装置３７の入口及び出口におけるＴＶＯＣ（総揮発性有機化合物質）の濃度は、予め試験した結果と同様に維持されるものであり、前記吸着手段２３に吸着されているＶＯＣは約７時間後にはほぼ零になるものである。前記演算手段５９Ｂによる演算は、熱センサ６１により所定時間毎に検出する検出温度に基づいて温度勾配を演算して、前記昇温モードパターンＰ１，保温モードパターンＰ２及び冷却モードパターンＰ３にほぼ倣うようにヒータ２９の加熱を演算し制御するものである。
【００２６】
さらに、前記制御装置４９には、例えば時計手段６３又は計時手段６５を備えた脱離指示手段６７を備えている。前記時計手段６３は、例えば２２時或は２４時など、予め設定された人がいなくなった時刻になると、前記吸着手段２３を前記加熱室２５内へ移動して吸着したＶＯＣの脱離処理を行うための指示信号を判別手段６９へ出力するものである。
【００２７】
前記計時手段６５は、前回の脱離処理からの経過時間又は空気清浄機１の総使用時間を計時して、予め設定した計時時間になったときに脱離処理を行うための指示信号を判別手段６９へ出力するもので、前記時計手段６３に代えて使用するもので、必ずしも必要ではなく省略することができる。
【００２８】
前記判別手段６９は、前記入力手段５１の例えばスイッチの操作によって指示信号が入力されたとき、又は前記脱離指示手段６７から脱離処理を行うための指示信号が入力されたときに、前記粒子捕集部２１の印加を停止すると共に前記吸引手段１９による吸引動作を停止し、前記吸引手段２３に吸着したＶＯＣの脱離処理を行うべく、前記モータ制御手段５３、印加電圧制御手段５５及びヒータ加熱制御手段５７へ脱離処理開始信号を出力するものである。
【００２９】
さて、以上のごとき構成において前記空気清浄機１の運転が開始されると、空気清浄機１に近接した位置に人がいるか否かが判別され（ステップＳ１）、人体検知センサ１７によって近接した人が検知されると、モータ制御手段５３によって前記吸引手段１９に備えたモータが駆動され、吸引動作が行われる（ステップＳ２）。この際、印加電圧制御手段５５の制御の下に前記粒子捕集部２１においては捕集が行われる。
【００３０】
前述のごとく吸引手段１９が駆動されて吸込口１５から周囲のＶＯＣを含んだ大量の空気が吸入されると、空気中の粒子成分は粒子捕集部２１において捕集除去される。そして、前記吸着手段２３を空気が通過するとき、空気中の多くの揮発性有機化合物（ＶＯＣ）が吸着手段２３に吸着されて除去され、その後に化学吸着活性炭４７を空気が通過するときにさらに残ったアルデヒド類などのＶＯＣの除去が行われる。そして浄化された空気が空気清浄機１から外部に排出されることになる。
【００３１】
前述のごとく吸引動作が開始された後、前記人体検知センサ１７によって人がいるか否かが検知され（ステップＳ３）、人がいなくなると吸引動作が停止される（ステップＳ４）。その後、制御装置４９に備えた判別手段６９において、例えば入力手段５１における脱離処理用のスイッチが操作されたかが監視され（ステップＳ５）、ＮＯの場合にはステップＳ６において脱離指示手段６７から脱離指示信号が出力されたか否かが監視される。
【００３２】
前記入力手段５１におけるスイッチの操作によって手動的に脱離処理用の指示信号が制御装置４９に入力されたこと、又は前記脱離指示手段６７における時計手段６３（又は計時手段６５）から離脱指示信号が出力されたことが判別手段６９によって判別されると、モータ制御手段５３の制御の下に吸引手段１９のモータが停止されると共に印加電圧制御手段５５の制御の下に粒子捕集部２１の捕集が停止されて吸引動作が停止される。その後、新たにモータ制御手段５３の制御の下にモータ４５が作動されて吸着手段２３が加熱室２５内へ移動し収容される（ステップＳ７）と共に、ガス分解除去装置３７に備えたモータが駆動されて加熱室２５内の空気の吸引が行われる（ステップＳ８）。またヒータ加熱制御手段５７の制御の下にヒータ２９の加熱制御が行われる（ステップＳ９）。この場合、パターンメモリ５９Ａに格納された加熱パターンに倣うように加熱制御が行われる。
【００３３】
その後、所定の加熱パターンでもって加熱制御が行われたか否か、すなわち脱離処理が終了したか否かが判別手段６９によって判別され（ステップＳ１０）、脱離処理が終了すると、前記モータ４５が逆回転されて、前記吸着手段２３が元の位置へ戻されて（ステップＳ１１）、吸着手段２３が再使用可能な状態となる。
【００３４】
ところで、脱離処理の指示信号を、入力手段５１から手動的に入力する場合、あるいは時計手段６３の制御の下に予め設定した時刻になったときに出力する旨説明したが、脱離処理の指示信号は、光センサ７１によって制御装置４９に入力することも可能である。すなわち、空気清浄機１の周囲の明かりが消灯されて所定以上の暗さになったとき（例えば夜に誰もいなくなって室内の明りが消灯されたとき）に脱離処理の指示信号を出力して脱離処理を開始することも可能である。
【００３５】
また、前記説明においては、所定の加熱パターンによるヒータ２９の制御が終了したときに脱離処理を終了する旨説明したが、脱離処理時に加熱室２５から排出される空気中のＶＯＣをガス検知センサ７３によって検知し、このガス検知センサ７３の検出値が所定値以下になったときに吸着手段２３の脱離処理を終了する構成とすることも可能である。
【００３６】
図６は第２の実施形態を示すものである。この第２の実施形態においては、前記ガス分解除去装置３７に代えて、ポンプのごとき吸引排出手段７５を備えて、加熱室２５内のＶＯＣを吸引し屋外に排出する構成としたものである。この構成においても前記実施形態と同様の効果を奏し得るものである。
【００３７】
以上のごとき説明より理解されるように、吸着手段２３を加熱室２５内へ移動し、密閉閉鎖した断熱空間に格納して加熱することにより脱離処理を行うものであるから、加熱室２５の熱漏洩が少なく、吸着手段２３を効率よく均等的に加温することができ、吸着手段２３からの脱離効率、すなわち、再生効率を向上することができる。この際、吸着手段２３から脱離したＶＯＣを外部へ漏洩するようなことがなく、周囲環境を良好に維持することができると共に、脱離処理時間を短縮させる効果をもたらすこともできる。
【００３８】
また、吸着手段２３の脱離処理は、例えば夜中など喫煙者が不在のときに行うことができ、吸着手段２３の長寿命化を図ることと空気清浄機の運転とを効果的に行うことができるものである。
【図面の簡単な説明】
【００３９】
【図１】本発明の実施形態に係る空気清浄機の全体的構成を概念的，概略的に示した断面説明図である。
【図２】本発明の実施形態に係る空気清浄機の全体的構成を概念的，概略的に示した断面説明図で、吸着手段を加熱室へ収容した状態が示してある。
【図３】空気清浄機の動作を制御する制御装置の構成を示す機能ブロック図である。
【図４】空気清浄機における加熱室内での吸着手段の加熱パターンを示すパターン説明図である。
【図５】空気清浄機の動作を説明するフローチャートである。
【図６】第２の実施形態に係る空気清浄機を概略的，概念的に示した断面説明図である。
【符号の説明】
【００４０】
１    空気清浄機
５    筐体
９    空気流路室
１１    機器格納室
１５    吸込口
１７    人体検知センサ
１９    吸引手段（ブロワ）
２１    粒子捕集部
２３    吸着手段
２５    加熱室
２９    ヒータ
３７    ガス分解除去装置
３９    スライダ
４１    断熱蓋
４７    化学吸着活性炭
４９    制御装置
５１    入力手段
５３    モータ制御手段
５７    ヒータ加熱制御手段
５９Ａ    パターンメモリ
６３    時計手段
６７    脱離指示手段
６９    判別手段
７５    吸引排出手段
【図１】
2006181262.tif 000003
【図２】
2006181262.tif 000004
【図３】
2006181262.tif 000005
【図４】
2006181262.tif 000006
【図５】
2006181262.tif 000007
【図６】
2006181262.tif 000008